(57)【特許請求の範囲】
【請求項１】
撮像した画像信号をＤＣ成分とＡＣ成分に分離するフィルタと、
前記撮像した画像信号の明るさの度数分布を測定するヒストグラム検波器と、
該ヒストグラム検波器により取得した度数分布に応じて前記画像信号のコントラストを補正する範囲および補正する度合いを制御する制御パラメータを生成するコントラスト制御回路と、
前記制御パラメータにしたがって、分離された前記ＤＣ成分および前記ＡＣ成分に対する入出力特性を決定し、決定された入出力特性にしたがって前記ＤＣ成分および前記ＡＣ成分に対してコントラストを拡張補正するコントラスト拡張回路と、
前記フィルタおよび前記ヒストグラム検波器および前記コントラスト制御回路および前記コントラスト拡張回路の動作を制御する制御部と、を備え、
前記コントラスト制御回路は、その出力が予め定められたヒストグラム特性を得るように、前記ＤＣ成分を補正する度合いを格納した１つないし複数のＲＯＭを有し、
前記コントラスト制御回路は、前記ヒストグラム検波器の出力を前記制御部が解析し、前記ＲＯＭの出力の重みを調節することによって前記制御パラメータを生成し、
前記コントラスト拡張回路は、画素毎あるいは画面より小さい画像領域において、前記制御パラメータにしたがって前記ＤＣ成分および前記ＡＣ成分の信号量を変化させることを特徴とする撮像装置。
【請求項２】
請求項１記載の撮像装置において、
前記コントラスト拡張回路は、画素毎あるいは画面より小さい画像領域において、前記制御パラメータにしたがって前記ＤＣ成分を予め設定した上下限値の間に伸張し、前記ＡＣ成分の信号量を前記ＤＣ成分の変化にしたがって変化させることを特徴とする撮像装置。
【請求項３】
請求項１記載の撮像装置において、
前記コントラスト拡張回路は前記制御パラメータに応じて前記ＤＣ成分と前記ＡＣ成分をそれぞれ独立して補正することを特徴とする撮像装置。
【発明の詳細な説明】
【技術分野】
【０００１】
本発明は、撮像装置に係り、特に、良好なコントラストを得ることのできる撮像装置に関する。
【背景技術】
【０００２】
特許文献１には、被写体の特定部分のコントラストを検出し、前記特定部分のコントラストが一定値を超えた場合にはガンマ補正量を変更することにより、コントラストが良好な画像を得ることが示されている。
【先行技術文献】
【特許文献】
【０００３】
【特許文献１】特開２００６−２１１２１７号公報
【発明の概要】
【発明が解決しようとする課題】
【０００４】
従来の技術では、例えば、逆光あるいは過順光などの高コントラストでの条件で撮影すると、撮影画像に黒つぶれあるいは白とびが発生することがある。また、反射率差の少ない被写体の場合は、通常、カメラ信号処理回路において自動露光制御（ＡＥ）が働き、画面全体が中間輝度となるように露光調整される結果、十分な明るさが得られず、また、被写体のエッジ付近の輝度差も小さくなることから、精細感の乏しい画像となることがある。
【０００５】
このような場合、通常は露光制御やエンハンサ制御などによる画質の改善が試みられるが、これらは画面内一律の制御であるため、画像内のすべての被写体について良好な画質を得ることは困難である。
【０００６】
前記特許文献１では、被写体の特定部分のコントラストを検出し、前記特定部分のガンマ補正値を最適化することにより、前記問題を解決し、コントラストが良好な被写体の画像を得ることができる。
【０００７】
しかし、ガンマ補正の特性を調整するだけでは補正の自由度が足りず、補正は不十分である。また、白飛びと黒つぶれが共存するような画像では、ガンマ補正だけでは十分な補正を施すことはできない。
【０００８】
そこで、本発明は、信号処理によりコントラストの拡張あるいは補正を施すに際して、画面全体における被写体の輝度レベルの分布（以下ヒストグラム分布）を広げることにより、コントラストの拡張した画像を得ることのできる撮像装置を提供するものである。
【課題を解決するための手段】
【０００９】
本発明は上記課題を解決するため、次のような手段を採用した。
【００１０】
撮像した画像信号をＤＣ成分とＡＣ成分に分離するフィルタと、前記撮像した画像信号の明るさの度数分布を測定するヒストグラム検波器と、該ヒストグラム検波器により取得した度数分布に応じて前記画像信号のコントラストを補正する範囲および補正する度合いを制御する制御パラメータを生成するコントラスト制御回路と、前記制御パラメータにしたがって、分離された前記ＤＣ成分および前記ＡＣ成分に対する入出力特性を決定し、決定された入出力特性にしたがって前記ＤＣ成分および前記ＡＣ成分に対してコントラストを拡張補正するコントラスト拡張回路と、前記フィルタおよび前記ヒストグラム検波器および前記コントラスト制御回路および前記コントラスト拡張回路の動作を制御する制御部と、を備え、前記コントラスト制御回路は、その出力が予め定められたヒストグラム特性を得るように、前記ＤＣ成分を補正する度合いを格納した１つないし複数のＲＯＭを有し、前記コントラスト制御回路は、前記ヒストグラム検波器の出力を前記制御部が解析し、前記ＲＯＭの出力の重みを調節することによって前記制御パラメータを生成し、前記コントラスト拡張回路は、画素毎あるいは画面より小さい画像領域において、前記制御パラメータにしたがって前記ＤＣ成分および前記ＡＣ成分の信号量を変化させる。
【発明の効果】
【００１１】
本発明は、以上の構成を備えるため、被写体の明るさの度数分布を広げることができ、コントラストの拡張した画像を得ることができる。
【図面の簡単な説明】
【００１２】
【図１】第１の実施形態にかかる撮像装置を説明する図である。
【図２】コントラスト補正回路の詳細を説明する図である。
【図３】コントラスト拡張回路の詳細を説明する図である。
【図４】コントラスト制御回路２０４の動作を説明するフローチャートである。
【図５】コントラストの拡張および補正による効果の例を説明する図である。
【図６】コントラストの拡張および補正による効果の例を説明する図である。
【図７】第２の実施形態で用いるコントラスト補正回路（図１に示すコントラスト補正回路１０４の他の例）を示す図である。
【図８】理想的なヒストグラム特性の例を示す図である。
【図９】テンプレートを説明する図である。
【図１０】ＤＣ成分の補正について説明する図である。
【図１１】制御部の処理を説明する図である。
【図１２】第３の実施形態で用いるコントラスト補正回路（図１に示すコントラスト補正回路１０４の更に他の例）を示す図である。
【図１３】撮像装置の構成例について説明する図である。
【図１４】ヒストグラムの生成と、補正対象画像の出力タイミングを合わせる構成を説明する図である。
【図１５】ＤＣ／ＡＣ分離部の詳細を説明する図である。
【図１６】ＡＣ部分に対する補正ゲインを説明する図である。
【発明を実施するための形態】
【００１３】
〔実施形態１〕
図１ないし図６は、本発明の第１の実施形態を説明する図である。図１は撮像装置を説明する図であり、図１において、撮像レンズ１０１を介して被写体から入射された光は撮像素子１０２に照射され、被写体像が結像される。撮像素子１０２は被写体像を撮像し、電気信号を発生する。この電気信号はＡ／Ｄ変換回路１０３でデジタル信号に変換され、信号処理回路１０５でノイズ除去、ガンマ補正などの各種カメラ信号処理が施される。その後、コントラスト補正回路１０４で被写体の明るさ（輝度）の度数分布を検出し、被写体の明るさの度数分布が所望の特性となるように画面全体にコントラストの拡張あるいは補正の処理を施し、出力回路１０６においてＴＶ信号などの信号に変換した後、出力される。
【００１４】
ここで、前記コントラスト補正回路１０４は、被写体の明るさの度数の分布を測定し拡張範囲と補正値を決定する。
【００１５】
すなわち、本実施形態においては、画像信号に対し、信号処理回路１０５においてノイズ除去、ガンマ補正が施され、コントラスト補正回路１０４において、被写体の明るさの度数分布を検出し、前記度数分布が所望の特性となるように画面全体におけるコントラストの拡張あるいは補正の処理を施すので、画面全体を対象とするヒストグラムの分布に偏りのない、視認性の高い画像を得ることができる。
【００１６】
図２は、コントラスト補正回路１０４の詳細を説明する図である。信号処理回路１０５からの出力信号はコントラスト補正回路１０４のヒストグラム検波器２０３に供給される。ヒストグラム検波器２０３は、画像信号の１フィールド内の明るさの度数分布を、予め定めた明るさの幅毎に検波し、検波結果をコントラスト制御回路２０４に出力する。
【００１７】
コントラスト制御回路２０４は、ヒストグラムの検波結果にしたがって、コントラストの拡張範囲と補正量を決定し、これらの信号をコントラスト拡張回路２０２に制御信号として供給する。コントラスト拡張回路２０２は、コントラスト制御回路２０４からの制御信号によってコントラストの拡張および補正を行った後、出力する。
【００１８】
図３は、コントラスト拡張回路２０２の詳細を説明する図である。図３において、コントラスト拡張回路２０２は、入力信号を、直流を含む低周波を多く含む成分（以下ＤＣ成分）と高周波を多く含む成分（以下ＡＣ成分）に分離するＤＣ／ＡＣ分離部３０７、ＤＣ成分から減算値３０２を減じる減算器３０１、減算器３０１による減算結果を制限（例えば０以下の値を０に制限）する下限値リミッタ３０３、下限値リミッタ３０３の出力に係数３０５の値を乗じる乗算器３０４、乗算器３０４の出力を制限（例えば１０２３以上の値を１０２３に制限）する上限値リミッタ３０６、分離された前記ＡＣ成分に対して補正を施すＡＣ補正部３０８、および補正後のＤＣ成分とＡＣ成分を加算する加算器３０９を備える。
【００１９】
ここで、コントラスト制御回路２０４は、ヒストグラム検波器２０３からのヒストグラムの検波結果にしたがってコントラストの拡張範囲および補正量に相当する減算値３０２と係数３０５の値、およびＡＣ補正部３０８のゲインを決定する。
【００２０】
次に、ＤＣ／ＡＣ分離部３０７の動作について説明する。ＤＣ／ＡＣ分離部３０７は、例えば図１５に示すように、ローパスフィルタ８０１および減算器８０２を備え、入力信号をローパスフィルタ８０１に供給して、補正対象画素および周辺画素に対してフィルタ演算を行うことでＤＣ成分を生成する。なお、前記ローパスフィルタはガウシアンフィルタのようなフィルタでもよいし、単純に平均値演算を行う演算器でもよい。また、これら以外のローパス特性をもつ任意のフィルタでもよい。なお、減算器８０２により前記入力信号とＤＣ成分の差分を取ることによりＡＣ成分を生成することができる。
【００２１】
このようにして、補正対象画素ごとにＤＣ成分およびＡＣ成分を生成することができる。また、同様の考え方で、画像をいくつかの小領域に区切り、その領域毎にＤＣ成分を生成することもできる。この場合は、画像内に領域境界が見えてしまう可能性があるが、ＤＣ成分を求めるためのフィルタ演算の計算量を大幅に削減できるメリットがある。
【００２２】
次に、ＤＣ成分の補正について述べる。ＤＣ成分について補正を施すためのパラメータ（減算値３０２および係数３０５）は、例えば以下のように決定する。
【００２３】
ヒストグラム検波器２０３で作成したヒストグラム（図５（ａ））における度数をＳｘ、画面の総画素数をＧtotalとすると
Ｇtotal  ＝  ΣＳｘ
となる、一方、輝度出力の最大値をＹｍａｘ、ヒストグラム作成の際の幅をΔｘ、ヒストグラムｘにおける傾きをＫｘ、とすると、
Ｙｍａｘ  ＝  ΣＫｘ＊Δｘ
となるため、Ｓｘに比例して傾きを配分する場合には、
Ｋｘ  ＝  （Ｙｍａｘ／Δｘ）＊（Ｓｘ／Ｇtotal）
と設定すると良い。
【００２４】
また、入出力特性の連続を保つために、減算値Ｄｘは、傾き＝Ｋｘで点（ｘ，Σｋｉ＊Δｘ）を通る直線のＹ切片であるから、
Ｄｘ  ＝  Σｋｉ＊Δｘ  −  Ｋｘ＊ｘ
とすると良く、前記減算値Ｄｘを減算値３０２に、傾きＫｘを係数３０５に設定する。
【００２５】
図４は、前記コントラスト制御回路２０４の動作を説明するフローチャートである。なお、図において、ＳＴＥＰ１〜ＳＴＥＰ３は垂直帰線期間内に実行し、入力信号の範囲に対する減算値Ｄｘと傾きＫｘを格納した参照テーブルを作成する。
【００２６】
ＳＴＥＰ４，ＳＴＥＰ５，ＳＴＥＰ６では、各画素値を入力する毎に、入力画素の信号レベルに応じて入力信号の範囲を判定し、対応する参照テーブルの減算値Ｄｘを減算値３０２に設定し、傾きＫｘを係数３０５に設定する。
【００２７】
ＳＴＥＰ７，ＳＴＥＰ８では１フィールド分の入力が終了したか否かを判定し、終了していない場合は次の画素位置のデータを入力しＳＴＥＰ５に戻る。
【００２８】
このように、ＤＣ／ＡＣ分離部３０７で画素毎あるいは領域毎に生成したＤＣ成分を、上述の方式で求めた入出力特性にしたがって補正することにより、画像の領域毎の特性に応じた補正を行うことが可能となる。
【００２９】
次に、ＡＣ成分の補正について述べる。ＡＣ成分について補正を施すためのパラメータ（補正ゲイン）については、たとえば、ＤＣ成分が補正によってどの程度変化したかの比率に応じてＡＣ成分の補正ゲインを決定すればよい。補正前のＤＣ成分をｙとし、補正後のＤＣ成分をｆ（ｙ）とする。この場合のＡＣ成分の補正ゲインをＧとすると、
Ｇ  ＝  ｆ（ｙ）／ｙ  （ｆ（ｙ）＞  ｙの場合）
Ｇ  ＝  ｙ／ｆ（ｙ）  （ｆ（ｙ）≦ｙの場合）
のように決定すればよい。
【００３０】
図１６は、このようにして求めたＡＣ補正ゲインを示す図である。前記ＤＣ／ＡＣ分離部３０７において画素毎に求めたＡＣ成分に対してＡＣ補正ゲインを乗算することにより、ＡＣ成分に対しても画像の領域毎の特性に応じた補正を画素毎に行うことが可能となる。
【００３１】
図５，６は、コントラストの拡張および補正による効果の例を説明する図である。図５は、高コントラスト条件で撮影した場合におけるヒストグラムの例である。図５（ａ）のように低コントラスト部と高コントラスト部に分かれていた分布は、図５（ｂ）のような入出力特性に設定したコントラスト拡張回路により拡張・補正されて、図５（ｃ）のように、度数分布が連続し、黒つぶれや白とびが抑制される。
【００３２】
図６は、被写体の反射率差が少ない場合におけるヒストグラムの例である。図６（ａ）に示すように中間部分に集中していた分布は、図６（ｂ）のような入出力特性に設定したコントラスト拡張回路で拡張・補正されて、図６（ｃ）のように連続的な度数分布で十分な明るさを持つ画像を得ることができる。
【００３３】
以上説明したように、画像内の小領域毎、あるいは画素毎に最適な入出力特性を実現することが可能となり、その結果として小領域毎、あるいは画素毎に最適な補正を施すことが可能となる。
【００３４】
また、以上の例では、ヒストグラムの度数に応じてコントラスト制御回路における係数と減算値を決める例について説明したが、前記例とは異なる方式で、ヒストグラムを用いてコントラスト制御回路の係数と減算値、およびＡＣ補正ゲインを決定することもできる。なお、撮像装置としては、民生用のビデオカメラを用いることができ、逆光や過順光などの高コントラストの条件下での撮影あるいは反射率差の少ない被写体の撮影時に特に有効である。また、図示されていないユーザインタフェースやＣＰＵなどにより、補正の強さが指定され、その強さに応じて係数、減算値、ＡＣ補正ゲインを調整する構成とすることもできる。
【００３５】
〔実施形態２〕
図７ないし図１１は、本発明の第２の実施形態を説明する図であり、図７は、本実施形態で用いるコントラスト補正回路（図１に示すコントラスト補正回路１０４の他の例）を示す図である。
【００３６】
図７において、ヒストグラム検波器４０１では１フィールド画像内の明るさの度数分布を、定めた明るさの幅毎に検波し、検波結果を制御部４０３に供給する。
【００３７】
制御部４０３では、予め定めてある例えば図８のようなヒストグラム特性に近くなるように、重み係数４０５，４０７，４０９をそれぞれＲＯＭ４０４，４０６，４０８に設定しておく。また、入力信号はＤＣ／ＡＣ分離部３０７においてＤＣ成分とＡＣ成分に分離する。なお、ＤＣ／ＡＣ分離部３０７は前記第１の実施形態におけるＤＣ／ＡＣ分離部と同様である。
【００３８】
ＲＯＭ４０４、ＲＯＭ４０６、ＲＯＭ４０８には、ＤＣ成分に対する補正特性がそれぞれ（つまり合計（Ｎ＋１）種類）格納されている。ＲＯＭ４０４、ＲＯＭ４０６、ＲＯＭ４０８は、入力された信号に応じて、格納されている補正値をそれぞれ出力する。
【００３９】
図１０は、ＤＣ成分の補正について説明する図である。乗算器４０５、乗算器４０７、乗算器４０９は、制御部４０３から設定された重み係数Ｃ０，Ｃ１，Ｃ２，ＣＮと、前記ＲＯＭの出力値を乗算して、それぞれ加算器４１０に出力する。
【００４０】
加算器４１０では、ＤＣ成分（図１０（ａ））と、乗算器４０５〜乗算器４０９の合計（図１０（ｂ））を加算し、この加算値を補正回路出力（図１０（ｃ））とする。なお、図１０（ｂ）あるいは図１０（ｃ）の入出力特性は、ＲＯＭ４０４、ＲＯＭ４０６、ＲＯＭ４０８に格納される補正値、あるいは乗算器４０５、乗算器、乗算器４０９に設定する重み係数によって適宜変更可能である。
【００４１】
ここで、図９および図１１を参照して、乗算器４０５、乗算器４０７、乗算器４０９に設定する重み係数の決定方法について説明する。
【００４２】
まず、補正の結果としてあるべきヒストグラム分布（以下、理想ヒストグラム分布）を定める。理想ヒストグラム分布は図９（ｃ）に示すようななだらかな山型でもよいし、一様分布でもよい。次に、ある入力が図９（ａ）に示すようなヒストグラム分布を持っていて、それがあるＲＯＭデータ（例えばＲＯＭ４０４）により形成される図９（ｂ）に示す入出力特性の回路を通された結果、出力のヒストグラムが理想ヒストグラム分布になる場合に、図９（ａ）の分布をＲＯＭ４０４のテンプレートと称する。同様にして、ＲＯＭ４０６〜ＲＯＭ４０８のテンプレートを生成する。
【００４３】
図１１は、制御部４０３の処理を説明するフローチャートである。制御部４０３は、ＲＯＭ４０４、ＲＯＭ４０６、ＲＯＭ４０８のテンプレート値を把握しており、これらのＲＯＭに対応するテンプレートとヒストグラム検波器４０１の検波結果とを比較して（ＳＴＥＰ１）、入力のヒストグラムとテンプレートの相関が高いＲＯＭから順に大きな重み係数（Ｃｉ）を割り当てる（ＳＴＥＰ２）。
【００４４】
ここで、最終的な補正特性（図１０（ｃ））は入力ＤＣ成分に対して単調増加な特性にする必要があるため、ＳＴＥＰ３に示す判定をおこない、単調増加でない場合には単調増加になるまでＳＴＥＰ４で重み係数（Ｃｉ）を補正し、単調増加となる重み係数（Ｃｉ）を設定する（ＳＴＥＰ５）。これらの演算と設定は垂直帰線期間内で実行する。
【００４５】
なお、ＳＴＥＰ３の式において、ｉはＲＯＭあるいは乗算器の番号（０〜Ｎ）である。また、Ｋは入力信号のレベルであり、入力信号の最大レベルをＹｉｎ＿ｍａｘとすると入力信号のレベルは０〜Ｙｉｎ＿ｍａｘである。Ｒｉ（ｋ）は、ＲＯＭ（ｉ）にｋのレベルの入力を与えた場合の出力であり、Ｃｉは乗算器（ｉ）に設定する重み係数である。
【００４６】
なお、図７において、ＤＣ／ＡＣ分離部３０７は、図３におけるＤＣ／ＡＣ分離部３０７と同じものである。また、ＤＣ／ＡＣ分離部３０７は、第１の実施形態において説明したように、ＤＣ成分およびＡＣ成分を画素毎あるいは領域毎に求めることができる。このようにＲＯＭを用いてＤＣ成分を補正することにより、画像の領域毎の特性に応じた補正を画素毎に行うことが可能となる。
【００４７】
以上説明したように、本実施形態によれば理想的なヒストグラム特性に近い輝度分布を得ることができ、図５や図６において説明したのと同様な効果を得ることができる。これによって、高コントラストの条件下での撮影において、黒つぶれや白とびを抑制することができ、また、反射率差の少ない被写体の撮影においても十分なコントラストを得ることができる。
【００４８】
以上説明したように、画像内の小領域毎、あるいは画素毎に最適な入出力特性を実現することが可能となり、小領域毎、あるいは画素毎に最適な補正を施すことが可能となる。なお、本実施形態における制御部はソフトウエアで構成されることを前提に説明したがハードウェアによって構成しても同様の効果を得ることができる。
【００４９】
また、ヒストグラムの度数に応じて各ＲＯＭへの重み係数、およびＡＣ補正ゲインを決定することができる。また、図示されていないユーザインタフェースやＣＰＵなどにより、補正の強さを指定し、指定した強さに応じて重み係数、ＡＣ補正ゲインを調整する構成とすることもできる。
【００５０】
〔実施形態３〕
図１２ないし図１４はコントラスト補正回路１０４のさらに他の例を説明する図である。なお、図において、図７に示される部分と同一部分については同一符号を付してその説明を省略する。前記第２の実施形態との相違は制御部５０３にある。制御部５０３は、前記制御部４０３が行う動作の外に、前段信号処理に対してディザリング、ノイズリダクション、エンハンサなど画質にかかる各種パラメータを設定する画質制御信号も出力する点で異なる。
【００５１】
制御部５０３は、コントラストの拡張や補正の度合い応じてあらかじめ定めてある画質にかかる各種パラメータを設定する。これにより、コントラストの拡張・補正によるノイズ感や解像度感の変化を抑制することができる。
【００５２】
図１３は、本実施形態に係る撮像装置の構成例について説明する図である。なお、図において図１に示される部分と同一部分については同一符号を付してその説明を省略する。信号処理回路６０５および信号処理回路６０６は、信号処理回路１０５の動作の他、コントラスト補正回路６０４から与えられディザリング、ノイズリダクション、エンハンサなど画質にかかわる各種パラメータを設定する画質制御信号に応じて、各種画質の設定をおこなう。これにより、コントラストの拡張・補正によるノイズ感や解像度感の変化を抑制した撮像装置を提供することができる。
【００５３】
なお、以上の説明では、フィールドメモリやフレームメモリを省略した例を用いて説明したが、例えば図１４に示すようにフィールドメモリを用いることにより、ヒストグラムの生成と、補正対象画像の出力タイミングを厳密に合わせる構成としてもよい。フィールドメモリを用いることにより、たとえばシーンチェンジが発生した場合やカメラの直前を物体が横切った場合などにおいて、一瞬だけ誤った補正を行うのを防止することができる。また、フィールドメモリの代わりにフレームメモリを用いても同様な効果が得られる。また、前期実施形態を組み合わせることもできる。
【００５４】
なお、本発明は上記した実施形態に限定されるものではなく、様々な変形例が含まれる。例えば、上記した実施形態は本発明を分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の構成の一部について、他の構成の追加・削除・置換をすることが可能である。
【００５５】
また、上記の各構成は、それらの一部又は全部が、ハードウェアで構成されても、プログラムで作動するプロセッサで構成されても良い。また、制御線や情報線は説明上必要と考えられるものを示しており、製品上必ずしも全ての制御線や情報線を示しているとは限らない。実際には殆ど全ての構成が相互に接続されていると考えてもよい。
【００５６】
以上説明したように、本実施形態によれば、ヒストグラム分布を検出し、被写体のヒストグラム分布が特定の輝度レベルに偏ることのないように画面全体のコントラストを拡張し、コントラストに補正を施す。これにより、逆光や過順光などの高コントラスト条件下での撮影において、黒つぶれや白とびの発生しない、また、反射率差の少ない被写体の撮影時においても十分なコントラストの画像を得ることのできる撮像装置を提供することができる。また、これらの制御を画像内の小領域、あるいは画素ごとに行うことにより、画像内のどの領域においても良好な補正を行うことができる。
【符号の説明】
【００５７】
１０１ 撮像レンズ
１０２ 撮像素子
１０３ Ａ／Ｄ変換回路
１０４ コントラスト補正回路
１０５ 信号処理回路
１０６ 出力回路
２０２ コントラスト拡張回路
２０３ ヒストグラム検波器
２０４ コントラスト制御回路
３０１ 減算器
３０２ 減算値
３０３ 下限値リミッタ
３０４ 乗算器
３０５ 係数
３０６ 上限値リミッタ
３０７  ＤＣ／ＡＣ分離部
３０８  ＡＣ補正部
３０９，４１０  加算器
４０１  ヒストグラム検波器
４０２  テンプレートデータ
４０３，５０３  制御部
４０４，４０６，４０８  ＲＯＭテーブル
４０５，４０７，４０９  乗算器
６０４ コントラスト補正回路
６０５，６０６ 信号処理回路
７０１ フィールドメモリ
【図１】
0005743815.tif 000002
【図２】
0005743815.tif 000003
【図３】
0005743815.tif 000004
【図４】
0005743815.tif 000005
【図７】
0005743815.tif 000006
【図１０】
0005743815.tif 000007
【図１１】
0005743815.tif 000008
【図１２】
0005743815.tif 000009
【図１３】
0005743815.tif 000010
【図１４】
0005743815.tif 000011
【図１５】
0005743815.tif 000012
【図１６】
0005743815.tif 000013
【図５】
0005743815.tif 000014
【図６】
0005743815.tif 000015
【図８】
0005743815.tif 000016
【図９】
0005743815.tif 000017